(57)【特許請求の範囲】
【請求項１】
カップを倒れ止め状態で保持可能なカップホルダを設けてある乗用型作業機であって、
装備機器の上方に設けた機体カバーに、カップの少なくとも底部を挿入可能な貫通孔を形成するとともに、前記貫通孔に挿入したカップをその一部が前記機体カバーの下側に突出するように載置可能な載置部を、前記装備機器の上面で構成して、
前記載置部に載置したカップを前記貫通孔の周縁との接当で倒れ止め状態で保持可能なカップホルダを設けてある乗用型作業機。
【請求項２】
前記装備機器が燃料タンクである請求項１記載の乗用型作業機。
【請求項３】
前記機体カバーが後輪フェンダーである請求項１記載の乗用型作業機。
【請求項４】
前記貫通孔は、機体カバーの前方側で前方に傾斜する前面部分に傾斜状に設けてある請求項１記載の乗用型作業機。
【発明の詳細な説明】
【０００１】
【発明の属する技術分野】
本発明は、カップを倒れ止め状態で保持可能なカップホルダを設けてある乗用型作業機に関する。
【０００２】
【従来の技術】
上記乗用型作業機では、従来、機体とは別に製作したカップホルダを組み付けている。
【０００３】
【発明が解決しようとする課題】
このため、カップホルダの製作や組み付けに手間を要する欠点がある。
【０００４】
本発明は上記実情に鑑みてなされたものであって、カップホルダの製作や組み付けの手間を省けるようにすることを目的とする。
【０００５】
【課題を解決するための手段】
請求項１記載の発明の特徴構成は、カップを倒れ止め状態で保持可能なカップホルダを設けてある乗用型作業機であって、装備機器の上方に設けた機体カバーに、カップの少なくとも底部を挿入可能な貫通孔を形成するとともに、前記貫通孔に挿入したカップをその一部が前記機体カバーの下側に突出するように載置可能な載置部を、前記装備機器の上面で構成して、前記載置部に載置したカップを前記貫通孔の周縁との接当で倒れ止め状態で保持可能なカップホルダを設けてある点にある。
【０００６】
〔作用〕
機体に取り付ける装備機器と、その装備機器を上方から覆うように機体に取り付ける機体カバーとを利用して、カップを倒れ止め状態で保持可能なカップホルダを設けることができる。
【０００７】
〔効果〕
カップホルダを別途製作して機体に組み付けることなく設けることができるので、カップホルダの製作や組み付けの手間を省ける。
【０００８】
請求項２記載の発明の特徴構成は、前記装備機器が燃料タンクである点にある。
〔作用〕  ミッションケースなどに比べて振動源になりにくい燃料タンクの上部にカップを載置できる。
〔効果〕  カップホルダに保持したカップが振動しにくく、内容物が跳ね上がって、カップの外側に飛び散るようなおそれが少ない。
【０００９】
請求項３記載の発明の特徴構成は、前記機体カバーが後輪フェンダーである点にある。
【００１０】
請求項４記載の発明の特徴構成は、前記貫通孔が、機体カバーの前方側で前方に傾斜する前面部分に傾斜状に設けてある点にある。
【００１１】
【発明の実施の形態】
以下に本発明の実施の形態を図面に基づいて説明する。
図１，図２は、乗用型作業機の一例としての乗用型草刈り機を示し、左右一対のキャスター式の前輪１と左右一対の駆動後輪２とを備えた走行機体３に、左右方向に並置する複数の刈取用のブレード４ａを備えたモーア４を側面視において前輪１と駆動後輪２との間に位置する状態で昇降自在に支持させるとともに、エンジン５を駆動後輪２の後方部に位置する状態で搭載し、かつ、運転座席６をエンジン５の前方部に位置する状態で搭載してある。
【００１２】
前記運転座席６の下方箇所には、図３にも示すように、エンジン５からの動力を左右に振り分けるとともにモーア４への動力を断続する作業クラッチ７を内装したミッションケース８を配置してあり、このミッションケース８の左右に、ミッションケース８で左右に振り分た動力を変速して対応する駆動後輪２に各別に伝達する前後進切換自在な静油圧式の無段変速装置９を配置し、作業クラッチ７を経由して取り出した第１伝動軸１０の動力を、一対のボールジョイント１１と前後向きの第２伝動軸１２とを介してモーア４の入力軸１３に伝達するように構成してある。
【００１３】
つまり、両無段変速装置９を共に前方に同量だけ作動させることで直進前進走行を、また、共に後方に同量だけ作動させることで直進後進走行を行うことができ、さらに、左右の無段変速装置９の同方向への作動量に差をつけることで、その差に応じた速度差をもたらして前進操向あるいは後進操向を行うことができ、特に、左右の無段変速装置９を互いに逆方向に作動させることで、左右の駆動後輪２を互いに逆方向に作動させて、駆動後輪２の間を旋回中心とした一点旋回、いわゆる、スピンターンで走行機体３を旋回させることができるようになっている。
【００１４】
前記運転座席６の左右両側後方に位置する駆動後輪２に対する後輪フェンダ（機体カバー) １４の各々は、燃料タンク１５などの装備機器を覆うように機体前方に向けて延設してあり、各フェンダ延設部１６の前方側に、左右の無段変速装置９の夫々を各別に操作するための操作レバー１７を配置して、運転部床板５１に止め付けた弾性変形自在な蛇腹状のブーツ１８で各操作レバー１７の基端部を覆ってある。
【００１５】
そして、燃料タンク１５の上部を覆っている一方のフェンダ延設部１６ａに形成した貫通孔から燃料タンク１５の燃料補給口部１９を突出させて、キャップ２０で開閉自在に設けるとともに、その前方側に、カップＡを倒れ止め状態で保持可能な本発明によるカップホルダ２１を設けてある。
【００１６】
前記カップホルダ２１は、図２，図４に示すように、フェンダ延設部１６（１６ａ) に形成したカップ挿入用貫通孔２２に底部を挿入したカップＡを、燃料タンク１５の上部を形成している上部壁板（上部形成部材) ２３で構成した載置部２５に載置して、カップ挿入用貫通孔２２の周縁２６との接当で倒れ止め状態で保持可能に設けてある。
【００１７】
前記カップ挿入用貫通孔２２は、前方側ほど下方に傾斜するフェンダ前面部分にカップＡの少なくとも底部を挿入可能に形成してあり、カップ挿入用貫通孔２２の周縁２６に下向きに突出する筒状の鍔２７を一体に設けて、その鍔２７との接当で、カップＡを倒れ止め状態で保持可能に設けてある。
【００１８】
前記載置部２５は、燃料タンク１５の機体前方側上部を側面視で略Ｌ字状に凹入させて、燃料タンク１５とフェンダ延設部１６（１６ａ) との間に空間を形成するとともに、その凹入部分を形成している上部壁板部２８の略水平な上向き面部にカップＡの底部が入り込む凹み２９を設けて、カップ挿入用貫通孔２２に挿入したカップＡを、その上方側がフェンダ延設部１６（１６ａ) の上側に突出するように載置可能に構成してある。
【００１９】
前記モーア４は、図５に示すように、ハウジング３０内に左右一対のブレード４ａを縦向きの支軸３１周りに回転可能に装備して、入力軸１３に伝達された動力を一対のベベルギヤを介して一方の支軸３１に伝達し、その一方の支軸３１からベルト式伝動機構３２を介して他方の支軸３１に伝達して、左右のブレード４ａを、それらの回転軌跡の一部が重複する状態で、かつ、その重複箇所では互いに後方に向かう状態に、逆向き等速回転駆動するように構成してある。
【００２０】
そして、左右のブレード４ａの回転駆動によって草類の刈り取りを行うとともに、この回転駆動で生起される搬送風によってハウジング３０の後部左右中央に形成された図外の排出口から後方に向けて刈草を排出搬送し、図１，図５に示すように、ハウジング３０の排出口から排出された刈草を、その排出口に接続された集草ダクト３３によって、走行機体３の後部に装備してある集草容器３４に案内するようになっている。
【００２１】
前記集草容器３４は、図１，図６，図７に示すように、走行機体３の後部に連結した左右一対のブラケット３５によって後端部が支持された集草ダクト３３との連通接続を可能にする連通口３６が形成された前壁部３７に、容器本体３８を、前壁部３７の上部に回動自在に配備された左右向きの支軸３９を介してその支軸３９周りの上下揺動で、容器本体３８の前端に形成した開口が前壁部３７で閉塞される前向きの集草姿勢と、その開口が地面に面して開放される下向きの排草姿勢とに姿勢切り換え可能に連結し、前壁部３７と支軸３９に連結された揺動リンク４０とに亘って、容器本体３８を支軸３９周りに姿勢切り換え操作する油圧シリンダ４１を架設することによって構成してある。
【００２２】
前記集草容器３４の前壁部３７は、走行機体３に立設した転倒保護フレーム４２の左右上端部から前壁部３７の対応する側壁下部にわたってそれぞれ平行４連リンクを形成するように架設された上下一対の揺動アーム４３と、転倒保護フレーム４２と左下側の揺動アーム４３とにわたって架設された油圧シリンダ４４によって構成された昇降リンク機構４５を介して走行機体３に連結されており、この連結構造によって、集草容器３４を、油圧シリンダ４４の作動で、集草ダクト３３に連なる集草位置と、その集草位置よりも上方で集草ダクト３３から大きく離間する排草位置とにわたって昇降させることができるようになっている。
【００２３】
前記前壁部３７は、集草容器３４が集草位置に位置する状態では、左右のブラケット３５で受け止められるとともに集草ダクト３３に連通口３６が連通接続され、集草容器３４が排草位置に位置する状態では、左右のブラケット３５から離間して集草ダクト３３と連通口３６との連通接続が解除されるようになっている。
【００２４】
そして、集草容器３４において、前壁部３７の下端部には、左右向きの支軸４６周りの揺動で、容器本体３８から前壁部３７に向けて延設した係合部材４７に係合して容器本体３８を集草姿勢に固定保持するロック状態と、係合部材４７との係合を解除して容器本体３８の排草姿勢への姿勢切り換えを許容するロック解除状態とに一体切り換え可能な左右一対のフック部材からなるロック具４８が装備されている。
【００２５】
ロック具４８は、前壁部３７から前方に向けて延設された支持部材４９とロック具４８とに亘って架設されたバネ５０５の付勢力でロック状態に復帰保持され、図１に示すように、運転部床板５１上に突出するように走行機体３に揺動自在に支持した操作ペダル５２をレリーズワイヤ５３でロック具４８に連係して、その操作ペダル５２を踏み込み操作することで、バネ５０の付勢力に抗してロック解除状態に切り換えられるようになっている。
【００２６】
つまり、草刈り集草作業時には、バネ５０の付勢力でロック具４８をロック状態に復帰保持できることから、機体の走行などに起因した前壁部３７に対する容器本体３８のガタツキを阻止することができて、そのガタツキに起因した異音の発生や前壁部３７と容器本体３８の隙間からの刈草の漏れ出しを防止できる好適な草刈り集草作業を行えるようになり、又、集草排出作業を行う際には、操作ペダル５２の踏み込み操作と各油圧シリンダ４１，４４に対応する操作具の操作を行うことで、ロック具４８をロック状態からロック解除状態に切り換えるとともに、集草容器３４を集草位置から排草位置まで上昇させ、排草位置で容器本体３８を集草姿勢から排草姿勢に切り換える、といった一連の操作を、搭乗運転部５４に居ながら容易に行えるようになり、更に、その集草排草作業後に再び草刈り集草作業を行う際には、各油圧シリンダ４１，４４に対応する操作具の操作と操作ペダル５２の踏み込み解除操作を行うことで、容器本体３８を排草姿勢から集草姿勢に切り換えるとともに、集草容器３４を排草位置から集草位置まで下降させ、ロック具４８をロック解除状態からロック状態に切り換える、といった一連の操作を、搭乗運転部５４に居ながら容易に行えるようになっている。
【００２７】
前記ロック具４８には、そのロック状態では連通口３６を大きく開放する状態に集草ダクト３３内に倒れ込んで連通口３６から集草容器３４内への刈草の流入を許容する前倒れ姿勢に切り換わり、ロック解除状態では連通口３６を閉じる状態に起立して連通口３６からの刈草の漏れ出しを阻止する起立姿勢に切り換わる蓋体５５が一体装備されており、又、この蓋体５５には、その前倒れ姿勢時に下方に向けて凹入する状態となる凹部５６が形成されている。
【００２８】
この構成によって、集草容器３４を集草位置に位置させた草刈り集草作業時には、ロック具４８のロック解除状態からロック状態への切り換え操作に伴って蓋体５５が前倒れ姿勢に切り換えられていることから、集草ダクト３３で案内された刈草が連通口３６から集草容器３４内にスムーズに流入するようになり、又、集草排出作業を行う際には、集草容器３４が集草位置に位置する段階でのロック具４８のロック状態からロック解除状態への切り換え操作に伴って蓋体５５が起立姿勢に切り換えられていることから、集草容器３４を集草位置から排草位置まで上昇させる上昇操作の際に集草容器３４内の刈草が前部の連通口３６から漏れ出す不具合の発生を未然に回避できるようになっている。
【００２９】
しかも、蓋体５５の前倒れ姿勢は、集草ダクト３３内に蓋体５５が倒れ込む姿勢であることによって、刈草が濡れて重くかつ付着し易い状態になっている場合にはその刈草が蓋体５５に付着堆積するようになることから、この付着堆積に起因した草詰まりが発生した場合には、操作ペダル５２を踏み込み操作して蓋体５５を前倒れ姿勢から起立姿勢に切り換えることで、搭乗運転部５４に居ながら、蓋体５５に付着堆積した刈草を集草容器３４内に送り込むことができて、草詰まりを容易に解消することができるようになっている。
【００３０】
更に、草刈り集草作業時に刈草が集草容器３４から集草ダクト３３に流出する不具合が生じたとしても、その流出する刈草を蓋体５５の凹部５６で受け止めることができ、又、集草排出作業を行う際の蓋体５５の前倒れ姿勢から起立姿勢への姿勢切り換え操作によって、凹部５６で受け止めた刈草を集草容器３４内に送り込むことができるとともに、刈草の連通口３６からの漏れ出しを阻止できることから、集草容器３４への集草量を多くすることができ、もって、集草作業効率の向上を図れるようになっている。
【００３１】
〔その他の実施形態〕
１．本発明による乗用型作業機は、トラクタやコンバイン，田植機などの乗用型農作業機の他、乗用型建設作業機であっても良い。
２．本発明による乗用型作業機は、ミッションケースや冷却水のリザーブタンクなどの装備機器を上方から覆う機体カバーに、カップの少なくとも底部を挿入可能な貫通孔を形成するとともに、貫通孔に挿入したカップをその一部が機体カバーの外側に突出するように載置可能な載置部を、ミッションケースや冷却水のリザーブタンクなどの上部形成部材で構成したカップホルダを設けてあっても良い。
３．本発明による乗用型作業機は、貫通孔に挿入したカップを、そのカップに設けてある持ち手部分が機体カバーの外側に突出するように載置可能な載置部を設けてあっても良い。
【図面の簡単な説明】
【図１】乗用型作業機（乗用型草刈り機) の全体側面図
【図２】乗用型作業機（乗用型草刈り機) の要部平面図
【図３】要部の伝動系統図
【図４】要部の一部断面側面図
【図５】伝動構造を示す要部平面図
【図６】排草状態を示す要部側面図
【図７】（イ)   ロック状態を示す要部縦断側面図，（ロ) ロック解除状態を示す要部縦断側面図
【符号の説明】
１４  機体カバー
１５  装備機器（燃料タンク)
２１  カップホルダ
２２  貫通孔
２３  上部形成部材
２５  載置部
２６  周縁
Ａ    カップ
【図１】
0003821741.tif 000002
【図２】
0003821741.tif 000003
【図３】
0003821741.tif 000004
【図４】
0003821741.tif 000005
【図５】
0003821741.tif 000006
【図６】
0003821741.tif 000007
【図７】
0003821741.tif 000008